(57)【特許請求の範囲】
【請求項１】
無線通信ネットワークにおいて送信するときにユーザ装置によって使用される送信電力を決定する、前記ユーザ装置における方法であって、前記ユーザ装置は前記無線通信ネットワークにおいて無線ネットワークノードにより無線サービスを提供され、
前記方法は、
一つまたは複数のサブフレームに対して適用される電力制御パラメータの特定のセットを含む電力制御パラメータの複数のセットが前記ユーザ装置に記憶されており、前記無線ネットワークノードから、前記電力制御パラメータの複数のセットのうちの電力制御パラメータのセットを指し示すとともに、当該一つまたは複数のサブフレームに含まれているサブフレームを指し示すインジケーションを受信することと、
前記インジケーションによって指し示された前記サブフレームについての送信電力を前記指し示された電力制御パラメータのセットに基づいて決定することと
を有することを特徴とする方法。
【請求項２】
前記インジケーションはアップリンクグラントメッセージに含まれており、当該インジケーションは、電力制御パラメータのセットのリストにおけるポインターであり、当該ポインターは、送信電力を決定するときに前記ユーザ装置によって適用される電力制御パラメータのセットが当該リストにおいてどれであるかを指し示していることを特徴とする請求項１に記載の方法。
【請求項３】
前記電力制御パラメータのセットは、最大送信電力、目標受信電力、送信電力を決定する際に考慮されるパス損失を割合でもって表した値、電力オフセット値、および、電力コマンド値などのうち少なくとも一つを含むことを特徴とする請求項１または２に記載の方法。
【請求項４】
前記決定することは、以下の式を用いて送信電力を決定することを含み、
【数７】
0006046239.tif 000008
ここで、
ＰPUSCH,c（ｉ）は、物理アップリンク共有チャネルにおけるｉ番目のサブフレームについての送信電力であり、
ＰCMAX,c（ｉ）は、最大送信電力であり、
ＭPUSCH,c（ｉ）は、リソースブロックの数により表現される物理アップリンク共有チャネルのリソース割り当てのバンド幅であり、
ＰO_PUSCH,c（ｊ）は、目標受信電力であり、
αｃ∈｛0,0.4,0.5,0.6,0.7,0.8,0.9,1｝であり、これは送信電力を決定する際に考慮されるパス損失を割合にて示した値であり、
ＰＬcはダウンリンクのパス損失の推定値であり、
ΔTF,c（ｉ）は、電力オフセット値であり、
ｆc（ｉ）は、電力コマンド値である
ことを特徴とする請求項３に記載の方法。
【請求項５】
前記受信することは、累積的な電力コマンドを受信することを含み、
前記決定することは、直前に使用した電力コマンドに対して前記累積的な電力コマンドを累積することを含み、
異なる電力制御パラメータのセットに対しては異なる累積が実行されることを特徴とする請求項１ないし４のいずれか一項に記載の方法。
【請求項６】
前記ユーザ装置の設定の期間において前記無線ネットワークノードから前記電力制御パラメータの複数のセットを受信することと、
前記受信した電力制御パラメータの複数のセットを前記ユーザ装置に記憶することと
をさらに有することを特徴とする請求項１ないし５のいずれか一項に記載の方法。
【請求項７】
無線通信ネットワークにおいてユーザ装置の送信電力を制御する、無線ネットワークノードにおける方法であって、前記無線ネットワークノードは前記無線通信ネットワークにおいて前記ユーザ装置に無線サービスを提供するものであり、
前記方法は、
前記ユーザ装置の送信電力を決定するために前記ユーザ装置によって使用される電力制御パラメータのセットを決定することと、
前記ユーザ装置に記憶されている電力制御パラメータの複数のセットのうちの電力制御パラメータのセットを指し示すインジケーションを前記ユーザ装置に送信することと
を有し、これによって前記ユーザ装置の送信電力を制御し、さらに、前記電力制御パラメータの複数のセットは、一つまたは複数のサブフレームに対して適用される電力制御パラメータの特定のセットを含んでおり、前記インジケーションは、当該一つまたは複数のサブフレームに含まれているサブフレームを指し示していることを特徴とする方法。
【請求項８】
前記ユーザ装置に対して前記電力制御パラメータの複数のセットを送信することによって前記複数のセットを用いて前記ユーザ装置を設定することをさらに有することを特徴とする請求項７に記載の方法。
【請求項９】
前記無線ネットワークノードはセルにおいて前記ユーザ装置に対して無線サービスを提供し、前記一つまたは複数のサブフレームは前記セルまたは当該セルの隣接セルにおいてダウンリンク送信で利用されるサブフレームであることを特徴とする請求項７に記載の方法。
【請求項１０】
前記インジケーションはアップリンクグラントメッセージに含まれており、当該インジケーションは、電力制御パラメータのセットのリストにおけるポインターであり、当該ポインターは、送信電力を決定するときに前記ユーザ装置によって適用される電力制御パラメータのセットが当該リストにおいてどれであるかを指し示していることを特徴とする請求項７ないし９のいずれか一項に記載の方法。
【請求項１１】
前記電力制御パラメータのセットは、最大送信電力、目標受信電力、送信電力を決定する際に考慮されるパス損失を割合でもって表した値、電力オフセット値、および、電力コマンド値などのうち少なくとも一つを含むことを特徴とする請求項７ないし１０のいずれか一項に記載の方法。
【請求項１２】
前記無線ネットワークノードにおけるメモリから前記決定された電力制御パラメータのセットを指し示している前記インジケーションを抽出することをさらに有することを特徴とする請求項７ないし１１のいずれか一項に記載の方法。
【請求項１３】
前記決定することは、前記ユーザ装置に無線サービスを提供しているセルにおける干渉の状況および／または前記セルに隣接したセルにおける干渉の状況を分析することを有していることを特徴とする請求項７ないし１２のいずれか一項に記載の方法。
【請求項１４】
前記インジケーションはグラントされたサブフレームについて送信され、当該グラントされたサブフレームは隣接チャネル干渉を被るサブフレームであることを特徴とする請求項７ないし１３のいずれか一項に記載の方法。
【請求項１５】
無線通信ネットワークにおいて送信するときにユーザ装置によって使用される送信電力を決定する前記ユーザ装置であって、前記ユーザ装置は前記無線通信ネットワークにおいて無線ネットワークノードにより無線サービスを提供され、
前記ユーザ装置は、
一つまたは複数のサブフレームに対して適用される電力制御パラメータの特定のセットを含む電力制御パラメータの複数のセットを記憶するように構成されたメモリと、
前記記憶されている電力制御パラメータの複数のセットのうちの電力制御パラメータのセットと当該一つまたは複数のサブフレームに含まれているサブフレームとを指し示すインジケーションを前記無線ネットワークノードから受信するように構成された受信機と、
前記インジケーションによって指し示された前記サブフレームについての送信電力を前記指し示された電力制御パラメータのセットに基づいて決定するように構成された決定回路と
を有することを特徴とするユーザ装置。
【請求項１６】
前記受信機は、前記インジケーションを含むアップリンクグラントメッセージを受信するように構成されており、当該インジケーションは、電力制御パラメータのセットのリストにおけるポインターであり、当該ポインターは、前記決定回路によって適用される電力制御パラメータのセットが当該リストにおいてどれであるかを指し示していることを特徴とする請求項１５に記載のユーザ装置。
【請求項１７】
前記電力制御パラメータのセットは、最大送信電力、目標受信電力、送信電力を決定する際に考慮されるパス損失を割合でもって表した値、電力オフセット値、および、電力コマンド値などのうち少なくとも一つを含むことを特徴とする請求項１５または１６に記載のユーザ装置。
【請求項１８】
前記決定回路は、以下の式を用いて送信電力を決定するように構成されており、
【数８】
0006046239.tif 000009
ここで、
ＰPUSCH,c（ｉ）は、物理アップリンク共有チャネルにおけるｉ番目のサブフレームについての送信電力であり、
ＰCMAX,c（ｉ）は、最大送信電力であり、
ＭPUSCH,c（ｉ）は、リソースブロックの数により表現される物理アップリンク共有チャネルのリソース割り当てのバンド幅であり、
ＰO_PUSCH,c（ｊ）は、目標受信電力であり、
αｃ∈｛0,0.4,0.5,0.6,0.7,0.8,0.9,1｝であり、これは送信電力を決定する際に考慮されるパス損失を割合にて示した値であり、
ＰＬcはダウンリンクのパス損失の推定値であり、
ΔTF,c（ｉ）は、電力オフセット値であり、
ｆc（ｉ）は、電力コマンド値である
ことを特徴とする請求項１７に記載のユーザ装置。
【請求項１９】
前記受信機は累積的な電力コマンドを受信するように構成されており、
前記決定回路は直前に使用した電力コマンドに対して前記累積的な電力コマンドを累積するように構成されているとともに、異なる電力制御パラメータのセットに対しては異なる累積を実行するように構成されていることを特徴とする請求項１５ないし１８のいずれか一項に記載のユーザ装置。
【請求項２０】
前記受信機は前記ユーザ装置の設定の期間において前記無線ネットワークノードから前記電力制御パラメータの複数のセットを受信するように構成されており、
前記ユーザ装置は前記受信した電力制御パラメータの複数のセットを前記メモリに記憶するように構成されている
ことを特徴とする請求項１５ないし１９のいずれか一項に記載のユーザ装置。
【請求項２１】
無線通信ネットワークにおいてユーザ装置の送信電力を制御する無線ネットワークノードであって、前記無線ネットワークノードは前記無線通信ネットワークにおいて前記ユーザ装置に無線サービスを提供するように構成されており、
前記無線ネットワークノードは、
前記ユーザ装置の送信電力を決定するために前記ユーザ装置によって使用される電力制御パラメータのセットを決定するように構成された決定回路と、
インジケーションを前記ユーザ装置に送信するように構成された送信機と
を有し、
前記インジケーションは前記ユーザ装置に記憶されている電力制御パラメータの複数のセットのうちの電力制御パラメータのセットを指し示すものであり、これによって前記ユーザ装置の送信電力を制御し、前記電力制御パラメータの複数のセットは、一つまたは複数のサブフレームに対して適用される電力制御パラメータの特定のセットを含んでおり、前記インジケーションは、当該一つまたは複数のサブフレームに含まれているサブフレームを指し示していることを特徴とする無線ネットワークノード。
【請求項２２】
前記送信機を介して前記ユーザ装置に対して前記電力制御パラメータの複数のセットを送信することによって前記複数のセットを用いて前記ユーザ装置を設定するように構成された設定回路をさらに有することを特徴とする請求項２１に記載の無線ネットワークノード。
【請求項２３】
前記無線ネットワークノードはセルにおいて前記ユーザ装置に対して無線サービスを提供するように構成されており、前記一つまたは複数のサブフレームは前記セルまたは当該セルの隣接セルにおいてダウンリンク送信で利用されるサブフレームであることを特徴とする請求項２１に記載の無線ネットワークノード。
【請求項２４】
前記送信機は前記インジケーションを含むアップリンクグラントメッセージを送信するように構成されており、当該インジケーションは、電力制御パラメータのセットのリストにおけるポインターであり、当該ポインターは、送信電力を決定するときに前記ユーザ装置によって適用される電力制御パラメータのセットが当該リストにおいてどれであるかを指し示していることを特徴とする請求項２１ないし２３のいずれか一項に記載の無線ネットワークノード。
【請求項２５】
前記電力制御パラメータのセットは、最大送信電力、目標受信電力、送信電力を決定する際に考慮されるパス損失を割合でもって表した値、電力オフセット値、および、電力コマンド値などのうち少なくとも一つを含むことを特徴とする請求項２１ないし２４のいずれか一項に記載の無線ネットワークノード。
【請求項２６】
前記無線ネットワークノードにおけるメモリから前記決定された電力制御パラメータのセットを指し示している前記インジケーションを抽出するように構成された抽出回路をさらに有することを特徴とする請求項２１ないし２５のいずれか一項に記載の無線ネットワークノード。
【請求項２７】
前記決定回路は、前記ユーザ装置に無線サービスを提供しているセルにおける干渉の状況および／または前記セルに隣接したセルにおける干渉の状況を分析するように構成されていることを特徴とする請求項２１ないし２６のいずれか一項に記載の無線ネットワークノード。
【請求項２８】
前記インジケーションはグラントされたサブフレームについて送信され、当該グラントされたサブフレームは隣接チャネル干渉を被るサブフレームであることを特徴とする請求項２１ないし２７のいずれか一項に記載の無線ネットワークノード。
【発明の詳細な説明】
【技術分野】
【０００１】
本実施形態は無線ネットワークノード、ユーザ装置およびその方法に関する。とりわけ、本実施形態は、無線通信ネットワークにおいて送信するときにユーザ装置によって使用される送信電力を決定して制御することに関する。
【背景技術】
【０００２】
今日の無線通信ネットワークにおいては、ロングタームエボリューション（ＬＴＥ）、ＬＴＥアドバンスド、広帯域符号分割多元接続（ＷＣＤＭＡ（登録商標））、移動通信のためのグローバルシステム／ＧＳＭ（登録商標）エボリューションのためのエンハンスドデータレート（ＧＳＭ／ＥＤＧＥ）、マイクロウェーブアクセスのためのワールドワイドインターオペラビリティ（ＷｉＭａｘ）、ウルトラモバイルブロードバンド（ＵＭＢ）など（いつくかの可能な実装として言及したにすぎない）、いくつかの異なる技術が使用されている。無線通信ネットワークは無線基地局を有し、無線基地局は少なくとも一つの地理的な領域にわたって無線カバレッジを提供しており、この地理的なエリアはセルと呼ばれることがある。セルの定義には送信に使用される周波数バンドが含まれ、これは２つの異なるセルが同一の地理的領域をカバーしつつ、異なる周波数バンドを使用することを意味する。ユーザ装置（ＵＥ）は各無線基地局に収容されて無線サービスを提供され、各無線基地局と通信する。ユーザ装置はアップリンク（ＵＬ）送信において無線基地局に対してエアインタフェースまたは無線インタフェースを介してデータを送信し、無線基地局はダウンリンク（ＤＬ）送信においてユーザ装置に対してエアインタフェースまたは無線インタフェースを介してデータを送信する。
【０００３】
たとえば、ＬＴＥのアップリンクでは、ユーザ装置の送信電力制御は、干渉を低下させ、かつ、ユーザ装置のバッテリー消費を削減するために使用される。アップリンク共有チャネルについての送信電力ＰPUSCH,c（ｉ）のための電力制御の式は、第３世代パートナーシッププロジェクト（３ＧＰＰ）  ＴＳ  ３６．２１３  物理レイヤープロシージャ、ｖ１０．４．０、セクション５．１．１において次のように規定されている。
【０００４】
【数１】
0006046239.tif 000002
【０００５】
［ｄＢｍ］
ここで、
ＰCMAX,c（ｉ）は、設定されたユーザ装置最大送信電力であり、
ＭPUSCH,c（ｉ）は、リソースブロックの数により表現される物理アップリンク共有チャネル（ＰＵＳＣＨ）リソース割り当てのバンド幅であり、この項は割り当てられたバンド幅の変化を補償する項であり、
ＰO_PUSCH,c（ｊ）は、設定可能な電力目標値であり、このパラメータはｊに依存し、ここでｊは、送信がノーマルの送信なのか、セミパーシステントスケジューリング（ＳＰＳ）送信なのか、それともランダムアクセスレスポンスメッセージなのかに応じて設定され、
αｃ∈｛0,0.4,0.5,0.6,0.7,0.8,0.9,1｝は３ビットのパラメータであるとともに、パス損失補償に関連しており、つまり、無線基地局に対するパス損失を増加させるのか、それとも減少させるのかに依存してユーザ装置の送信電力をどの程度補償すべきかに関連しており、
ＰＬcはダウンリンクのパス損失の推定値であり、
【０００６】
【数２】
0006046239.tif 000003
【０００７】
は、送信がアップリンク制御情報だけを含んだ送信なのかどうかに依存したオフセットであり、
ｆc（ｉ）はダウンリンク制御チャネルにおいてグラントに含めて送信される電力制御コマンドによって制御される動的パートである。
【０００８】
ユーザ装置の送信電力はそれゆえに無線通信ネットワーク、たとえば、無線基地局によって制御され、その際には、ゆっくりとした成分を設定するＰO_PUSCH,c（ｊ）およびαｃと、電力制御コマンドｆc（ｉ）による高速な成分とが用いられる。隣接セルへの干渉を低く抑えつつ、良好な受信信号対干渉および雑音比（ＳＩＮＲ）を提供するために、他の異なる成分が使用されてもよい。
【０００９】
３ＧＰＰにおいてはよりフレキシブルな時分割デュープレックス（ＴＤＤ）について将来採用することについて評価が実施されている。ＴＤＤではリソースがリンクにおいて時間軸で分割されており、アップリンクとダウンリンクとで同一の周波数リソースが使用される。ユーザ装置に対してアップリンク／ダウンリンクパターンを信号伝達するｅＮｏｄｅＢ、すなわち、無線基地局によってＬＴＥでは分割が制御されており、現在の標準規格によれば１０％程度ないし６０％程度のアップリンクを用いる構成がサポートされている。現在のところ、この構成はシステムブロードキャストを用いて設定され、それゆえに比較的にゆっくりと変化する。もし、隣接セルがそれぞれ異なるＴＤＤ構成を使用している場合、ＵＥ間干渉に加え、いわゆるｅＮｏｄｅＢ間干渉が発生しうる。ｅＮｏｄｅＢ間干渉は、あるセルにおいてはダウンリンク送信であり、異なるセルにおいて同一の周波数上で同時に並行して送信されるアップリンクに対する干渉として観測される。いくつかの配置例において、この干渉は、送信している他のユーザ装置からの典型的なアップリンク干渉よりも非常に強くなることがあるが、これはユーザ装置と比較して無線基地局からのより高い出力電力が原因であり、また、ユーザ装置と無線基地局との間の伝播状況と比較して無線基地局間の伝搬状況が異なっていることが原因となりうる。換言すれば、１０ミリ秒の長さの無線フレームにおいてユーザ装置に無線サービスを提供している所与の無線基地局について、他の無線基地局が同一のサブフレームをダウンリンク送信のために使用しているといった事実が原因でｅＮｏｄｅＢ間干渉が生じているアップリンクサブフレームは、ｅＢｏｄｅＢ間干渉が発生していないアップリンクサブフレームと比較して、より高いレベルの干渉と雑音とを経験することになる。なぜなら、他のすべての無線基地局はこれらのサブフレームをアップリンク送信で使用しているからである。
【００１０】
ＴＤＤシステムにおいては同一の周波数がアップリンクとダウンリンクとの双方で使用される。アップリンクとダウンリンクとの間の干渉からシステムを保護するために、アップリンクとダウンリンクとの間にガード期間が挿入される。このガード期間は、ダウンリンクからアップリンクへ切り替えるときに、ユーザ装置が受信から送信へ切り替えるための時間を確保でき、かつ、顕著な干渉電力を受信している無線基地局からの伝搬遅延時間よりも長くなるように、設定される。いくつかの特定の状況では、伝搬特性は、ずっと遠くからの無線基地局の送信が高い電力でもって受信されうるように、変化することもある。このようなケースでは、ガード期間は、十分に大きな値には設定されていないであろうし、第１のアップリンクサブフレームにおいては高い干渉が観測されることになる（第１のアップリンクサブフレームは、ダウンリンク／スイッチングサブフレームの後のアップリンクサブフレームの期間において最初のものである）。
【００１１】
また、同一の周波数バンドにおいて隣り合った複数の周波数上で複数のＴＤＤキャリアが存在する可能性がある。たとえば、２３００ＭＨｚ−２４００ＭＨｚのバンドにおいて、たとえば、各キャリアが２０ＭＨｚバンド幅となる、複数のキャリアが存在しうる。フィルタリングが完全でないことが原因で、異なるキャリアが相互に干渉を引き起こす。たとえば、ある一つのキャリアでのダウンリンク送信が他のキャリアでのアップリンク受信に対して干渉を引き起こす。隣接したキャリアにおいてダウンリンク送信を行う、受信側としての無線基地局におけるサブフレームにおける干渉は、隣接したキャリアがアップリンクとして使用されるサブフレームと比較して、より高いものとなりうる。
【００１２】
ＵＬ／ＤＬ干渉は、いずれかの隣接ＴＤＤセルにおけるグローバルポジショニングシステム（ＧＰＳ）の同期誤りのケースでも発生する。このケースでは、非同期の無線基地局が他の無線基地局と干渉するとともに、同様のケースが生じるだろう。
【００１３】
バンド７、すなわちＤＬ周波数バンドが２６２０ＭＨｚ−２６７０ＭＨｚであり、ＵＬ周波数バンドが２５００ＭＨｚ−２５７０ＭＨｚである周波数分割デュープレックス（ＦＤＤ）システムや、バンド３８、すなわち周波数バンドが２５７０ＭＨｚ−２６２０ＭＨｚであるＴＤＤシステムでは、隣接チャネル干渉によって同様の問題が発生する可能性がある。よって、ＦＤＤキャリアでさえ、ダウンリンク送信が隣接キャリアで実行されるようなあるサブフレームでは、ダウンリンク送信が行われないもののユーザ装置のアップリンク送信が実行されるような他のサブフレームと比較して、比較的に高い干渉が発生しうる。
【００１４】
現在のところ、ユーザ装置が無線基地局に対して送信するための送信電力を決定する際に使用される、当該ユーザ装置についての電力制御パラメータを用いて、無線基地局は当該ユーザ装置を設定する。無線基地局は、たとえば、電力コマンドｆc（ｉ）を使用してユーザ装置の送信電力を調整する。電力制御パラメータは定期的に更新されてもよく、電力コマンドｆc（ｉ）はよりゆっくりとしたマナーで送信電力を変化させる。上述した干渉の種類は、いくつかのサブフレームにおいてより劇的に干渉を増加させることがあり、無線通信ネットワークの性能が低下してしまう。
【００１５】
本実施形態の目的は無線通信ネットワークの性能の低下を小さくすることである。
【００１６】
ある観点によれば、当該目的は、無線通信ネットワークにおいて送信するときにユーザ装置によって使用される送信電力を決定する、ユーザ装置において実行される方法によって達成される。ユーザ装置は、無線通信ネットワークにおいて無線ネットワークノードにより収容されて無線サービスを提供される。ユーザ装置は、無線ネットワークノードから、電力制御パラメータの複数のセットのうちから電力制御パラメータのセットを示すインジケーションを受信する。電力制御パラメータの複数のセットはユーザ装置に記憶される。ユーザ装置は、インジケーションにより指し示された電力制御パラメータのセットに基づいて送信電力を決定する。
【００１７】
ユーザ装置がインジケーションに基づいて送信電力を決定することで、送信電力はフレキシブルかつ効率的な手法でもって無線ネットワークノードによって制御される。したがって、制御パラメータのセットを決定するためにインジケーションを使用するといった特徴によって、ユーザ装置は送信電力を劇的に変更することが可能となる。
【００１８】
他の観点によれば、上記目的は、無線通信ネットワークにおいてユーザ装置の送信電力を制御する、無線ネットワークノードにより実行される方法によって達成される。上述したように、無線ネットワークノードは無線通信ネットワークにおいてユーザ装置に無線サービスを提供する。無線通信ネットワークノードは、ユーザ装置の送信電力を決定するためにユーザ装置によって使用される電力制御パラメータのセットを決定する。無線ネットワークノードは、さらに、インジケーションをユーザ装置に送信する。インジケーションは、ユーザ装置に記憶されている電力制御パラメータの複数のセットのうちの電力制御パラメータのセットを示している。これによりユーザ装置の送信電力は制御される。
【００１９】
さらに他の観点によれば、上記の目的は、無線通信ネットワークにおいて送信するときにユーザ装置によって使用される送信電力を決定するユーザ装置によって達成される。ユーザ装置は、無線通信ネットワークにおいて無線ネットワークノードによりサービスを提供されるように構成されている。ユーザ装置は、電力制御パラメータの複数のセットを記憶するように構成されたメモリを有する。ユーザ装置はさらに、無線ネットワークノードから、電力制御パラメータの複数のセットのうちの電力制御パラメータのセットを指し示すインジケーションを受信する受信機を有する。さらに、ユーザ装置は、インジケーションにより指し示された電力制御パラメータのセットに基づいて送信電力を決定するように構成された決定回路を有している。
【００２０】
さらに他の観点によれば、上記目的は、無線通信ネットワークにおいてユーザ装置の送信電力を制御する無線ネットワークノードによって達成される。無線ネットワークノードは無線通信ネットワークにおいてユーザ装置に無線サービスを提供するように構成されている。無線通信ネットワークノードは、ユーザ装置の送信電力を決定するためにユーザ装置によって使用される電力制御パラメータのセットを決定するように構成された決定回路を有している。無線ネットワークノードは、さらに、インジケーションをユーザ装置に送信するように構成された送信機を有している。インジケーションは、ユーザ装置に記憶されている電力制御パラメータの複数のセットのうちの電力制御パラメータのセットを示している。よってユーザ装置の送信電力は無線ネットワークノードにより制御されることになる。
【００２１】
本実施形態は、電力制御パラメータの複数のセットのうちから電力制御パラメータのセットを決定するために、当該電力制御パラメータのセットを示すことによって、送信電力のセッティングにおけるフレキシビリティが増加する。これにより、電力制御パラメータのセットが素早く変更可能となり、高い干渉レベルにあるサブフレームにおいても送信可能となるように送信電力が決定され、たとえば、隣接セルにおける干渉に対してより敏感でなくなるようにサブフレームの性能が向上しよう。
【図面の簡単な説明】
【００２２】
実施形態は添付の図面に関連付けながら詳細に説明される。
【図１】実施形態に係る無線通信ネットワークを示す図
【図２】いくつかの実施形態に係るフローチャートとシグナリングとを示す図
【図３】いくつかの実施形態に係るフローチャートとシグナリングとを示す図
【図４】実施形態に係るユーザ装置における方法を示すフローチャート
【図５】実施形態に係るユーザ装置を示すブロック図
【図６】実施形態に係る無線ネットワークノードにおける方法を示すフローチャート
【図７】実施形態に係る無線ネットワークノードを示すブロック図
【発明を実施するための形態】
【００２３】
図１は、実施形態に係る無線通信ネットワークの概要を示している。無線通信ネットワークは、ＬＴＥ，ＬＴＥ−Ａｄｖａｎｃｅｄ，ＷＣＤＭＡ，ＧＳＭ／ＥＤＧＥ、ＷｉＭａｘ，ＵＭＢまたはこれらと同様のものなど、いつくかの異なる技術を使用しうる。
【００２４】
無線通信ネットワークは無線ネットワークノード１２を有し、これはここでは無線基地局１２’として例示されており、少なくとも一つの地理的な領域において無線カバレッジを提供しており、ここでは地理的の領域をセル１１と呼ぶことにする。無線基地局１２’は、たとえば、ＮｏｄｅＢ、エボルブドＮｏｄｅＢ（ｅＮＢ、ｅＮｏｄｅＢ）、基地局トランシーバ局、アクセスポイント基地局、基地局ルータ、または、たとえば無線アクセス技術や使用される用語によって名称が依存する、無線基地局１２’によって無線サービスを提供されるユーザ装置１０と通信可能ないずれかのネットワークユニットである。無線ネットワークノード１２は、ここでは、無線基地局１２’として例示されるが、リレーノードやビーコンノード、その他が含まれてもよい。
【００２５】
ユーザ装置１０は無線基地局１２’と通信する。ユーザ装置１０は、アップリンク（ＵＬ）送信において無線基地局１２’に対してエアインタフェースまたは無線インタフェースを介してデータを送信し、無線基地局１２’は、ダウンリンク（ＤＬ）送信においてユーザ装置１０に対してエアインタフェースまたは無線インタフェースを介してデータを送信する。“ユーザ装置”という用語は限定的な用語ではなく、無線端末、無線デバイスまたは無線ノード、たとえば、パーソナルデジタルアシスタント（ＰＤＡ）、ラップトップ、モバイル、センサー、リレー、モバイルタブレット、または、各セル内で通信する小型基地局などであってもよい。
【００２６】
従来技術において、送信に使用されるサブフレーム間でたとえば４ｄＢまでは電力制御コマンドｆc（ｉ）を用いてリソースブロックあたりで要求される送信電力がゆっくり変更される状況では良好な電力制御がサポートされていたが、他のセルにおいて干渉がどの程度の害をもたらすかを示す知識や干渉レベルにおける、高速な変動に起因した大幅な変更について取り扱うには不向きであった。とりわけ、いくつかのサブフレームが、たとえば、ｅＮｏｄｅＢ間干渉の被害を被っているが、他のサブフレームは被害を被っていないケースでは、ここで説明する電力制御プロセスは、これを考慮し、無線通信ネットワークの性能を向上させる。干渉変動の特別なケースは、無線フレームの間隔でもって周期的に発生する干渉変動である。この例には、ダウンリンクからアップリンクへの切り替えにおけるガード期間の後の最初のアップリンクサブフレームが、リモート無線基地局からの高い干渉により被害を被っているケースが含まれよう。
【００２７】
本実施形態は、所望の送信電力または送信の電力における大幅な変更を取り扱うために電力制御のフレキシビリティを増大させる。無線基地局１２’はユーザ装置１０にインジケーションを送信する。インジケーションは、電力制御パラメータの複数のセットのうちの電力制御パラメータのセットを指し示す。電力制御パラメータの複数のセットはユーザ装置１０に記憶されており、たとえば、内蔵メモリや外部メモリに記憶されており、電力制御パラメータのセットは、ユーザ装置１０が送信電力を決定するときにユーザ装置１０によって使用される。したがって、いくつかのサブフレームにおける送信電力の大きな変更が、インジケーションだけを用いてシグナリングすることが可能となる。
【００２８】
インジケーションは、スケジュールされたサブフレームにおいて送信するときに使用される電力制御パラメータのセットの、インデックス付きリストのインデックスのように、明示的なインジケーションであってもよい。これに代えて、インジケーションは、異なるサブフレームについての送信電力を決定するために異なる電力制御パラメータを使用するように構成されたユーザ装置１０において、使用されるサブフレームのインジケーションのように、黙示的なインジケーションであってもよい。
【００２９】
電力制御パラメータのセットは、次のいずれか一つまたはいずれかの組み合わせてあってもよい。
・設定された最大送信電力ＰCMAX,c（ｉ）
・設定可能な電力目標値ＰO_PUSCH,c（ｊ）：このパラメータはｊに依存し、ここでｊは、送信がノーマルの送信なのか、セミパーシステントスケジューリング（ＳＰＳ）送信なのか、それともランダムアクセスレスポンスメッセージなのかに応じて設定される
・３ビットのパラメータ、αｃ∈｛0,0.4,0.5,0.6,0.7,0.8,0.9,1｝：これはパス損失補償に関連しており、つまり、無線基地局に対するパス損失を増加させるのか、それとも減少させるのかに依存してユーザ装置の送信電力をどの程度補償すべきかに関連している
・電力オフセットΔＴＦ，ｃ（ｉ）：これは、送信がアップリンク制御情報だけを含んだ送信なのかどうかに依存している
【００３０】
【数３】
0006046239.tif 000004
【００３１】
・電力制御コマンドによって制御される動的パートであるｆc（ｉ）：これはダウンリンク制御チャネルにおいてグラントに含めて送信されうる。これは絶対的なコマンドや累積的なコマンドのいずれであってもよい。なお、ここでの言及は一部の例示にすぎない。
【００３２】
したがって、本実施形態は、所望の送信電力における大きな変更を取り扱うために電力制御のフレキシビリティを増加させる。いくつかの実施形態では、ユーザ装置１０が複数の予め設定された電力制御パラメータを切り替えるようにするシグナリング方法によって電力制御のフレキシビリティが達成され、ユーザ装置１０はいつくかの実施形態において累積された電力制御コマンド間で切り替えを実行してもよい。いくつかの実施形態では、フレキシビリティは、送信電力を決定するときに異なる電力制御パラメータを適用することによって達成され、ここで電力制御パラメータは予め設定されたパターンにしたがってサブフレームインデックスに依存したものであってもよい。たとえば、無線基地局が第１のサブフレームでグラントを送信し、たとえば、これはサブフレームインデックス４であり、ユーザ装置１０はユーザ装置１０に記憶されている第１のサブフレームについての電力制御パラメータのセットを抽出する。他のサブフレーム、たとえば、サブフレームインデックス０−３と５−９について、電力制御パラメータの異なるセットがユーザ装置１０にすでにコンフィギュレーション（設定）の期間おいてに記憶されている。
【００３３】
図２は、いくつかの実施形態に係るフローチャートとシグナリング方式とを組み合わせた方式を示している。図２は、無線基地局１２’に対する送信についてユーザ装置１０で送信電力を適用するときに使用される電力制御パラメータのセットをシグナリングする明示的な手法を示している。図示した実施形態は、たとえば、電力制御パラメータの異なるセットを記憶したリストにおいて、電力制御パラメータの異なるセット間で切り替えを行うための効率的なシグナリングを実現する。
【００３４】
アクション２０１：ユーザ装置１０は、ネットワーク、たとえば、無線基地局１２’や他のネットワークノードによって電力制御パラメータの複数のセットを用いて設定され、これはまた電力制御プロセスとも呼ばれる。これは、無線リソース制御（ＲＲＣ）シグナリンやその他の同様のものなど、上位レイヤーのシグナリングを介して実行されうる。無線基地局１２’は、たとえば、ユーザ装置１０に対して、電力制御パラメータの第１セットＡと電力制御パラメータの第２セットＢとをシグナリングするか、送信する。電力制御パラメータの第１セットＡと電力制御パラメータの第２セットＢは、無線基地局１２’に対する送信についての送信電力を決定する際にユーザ装置１０によって使用されうる。
【００３５】
アクション２０２：無線基地局１２’は、ユーザ装置１０から受信されたＵＬリクエストやその他の同様のものなどに応答して、サブフレームなどの無線リソースをユーザ装置１０に対してスケジューリングする。
【００３６】
アクション２０３：無線基地局１２’は、スケジューリングしたサブフレームについて使用される電力制御パラメータのセットを決定する。たとえば、無線基地局１２’は、隣接セルからの当該サブフレームにおける干渉のインジケーションを推定するか受信する。無線基地局１２’は、ユーザ装置１０が当該サブフレームでフルパワーで送信すべく、フルの送信電力を示す電力制御パラメータのセットを選択することについて何の問題もないかどうかについて判定してもよい。他の例として、無線基地局１２’はセル間におけるユーザ装置からの干渉を推定または検知し、ユーザ装置１０にその送信電力を低下するよう要請してもよい。この場合、無線基地局１２’は減少した送信電力を示す電力制御パラメータのセットを決定または選択してもよい。追加の実施形態の代替案として、無線基地局１２’はセル１１におけるロード（負荷）が閾値を下回っていることを判定し、負荷が低いために、ユーザ装置１０についての電力制御パラメータのセットについて送信電力の制限を設けずに、決定してもよいし、逆に、負荷が高いために、ユーザ装置１０についての電力制御パラメータのセットについて送信電力の制限を設けて、決定してもよい。
【００３７】
アクション２０４：無線基地局１２’は、スケジューリングしたサブフレームを示す情報とインジケーションとを送信またはシグナリングするが、これはたとえば、スケジューリングしたサブフレームを使用した送信についてのアップリンクグラントメッセージに搭載されてもよい。インジケーションは、ユーザ装置１０において送信電力を決定する際に使用されるべき、電力制御パラメータのセットを示している。インジケーションはポインターであってもよく、たとえば、電力制御パラメータの複数のセットを列挙したインデックス付きリストにおけるインデックスであってもよい。無線基地局１２’は、絶対的なまたは累積的な電力制御コマンドｆc（ｉ）をアップリンクグラントメッセージに搭載してシグナリングしてもよいし、これをアップリンクグラントメッセージとは別にシグナリングしてもよい。
【００３８】
アクション２０５：ユーザ装置１０は、受信したインジケーションによって示されている電力制御パラメータのセットを、たとえば、記憶しているインデックス付きリストから抽出しうる。
【００３９】
アクション２０６：ユーザ装置１０は、抽出した電力制御パラメータのセットに基づき送信電力を決定し、もし電力制御コマンドｆc（ｉ）が存在するのであれば電力制御コマンドｆc（ｉ）をさらに適用して決定してもよい。
【００４０】
アクション２０７：ユーザ装置１０は、グラントされたサブフレームの信号送信について、決定した送信電力を適用しうる。したがって、ユーザ装置１０は、たとえば、リファレンス信号またはデータ送信信号を、決定した送信電力を用いて、送信する。
【００４１】
たとえば、無線基地局１２’は、サブフレームｘについてグラントを送信し、電力制御パラメータの第２セットＢを示す。ユーザ装置１０は、送信電力でサブフレームｘを使用するが、この送信電力は電力制御パラメータの第２セットＢに基づくものである。
【００４２】
上述したように送信電力は次式から決定されてもよい。
【００４３】
【数４】
0006046239.tif 000005
【００４４】
累積的な電力制御コマンドが使用されるケースでは、異なるプロセスに対しては異なる累積が使用される。たとえば、複数の異なる累積ｆc,0（ｉ）、ｆc,1（ｉ）・・・を用いる場合、すべてのプロセスは、ｆc,n（ｉ）=ｆc,n（ｉ−１）∀ｎに応じて各サブフレームごとにアップデート（更新）されるが、これは、選択されたプロセスｘを示す電力制御コマンドが、電力制御コマンド値ｆc,x（ｉ）=ｆc,x（ｉ−１）＋ρでもって更新されない限り、実行される。選択されたプロセスｆc,x（ｉ）だけが式において使用される。
【００４５】
図３はいくつかの実施形態に係るフローチャートとシグナリング手法とを合わせて示している。図３はユーザ装置１０で送信電力を決定するときに使用される電力制御パラメータのセットをシグナリングする手法であって黙示的な手法を示している。これらの実施形態では、送信電力を決定する際に使用される電力制御パラメータはアップリンクグラントメッセージで送信されず、その代わりに、ユーザ装置１０は一つまたは複数のサブフレームを使用するように予め設定されており、これはたとえばサブフレームインデックスのセットなどを用いて設定されており、これについては電力制御パラメータの特定のセットが適用される。
【００４６】
アクション３０１：ユーザ装置１０は、ネットワーク、たとえば、無線基地局１２’やその他のネットワークノードによって設定されるが、電力制御パラメータの複数のセットが用いられて設定されてもよく、これは電力制御プロセスと呼ばれてもよい。これは、無線リソース制御（ＲＲＣ）シグナリンやその他の同様のものなど、上位レイヤーのシグナリングを介して実行されうる。無線基地局１２’は、たとえば、ユーザ装置１０に対して、電力制御パラメータの第１セットＳ１をシグナリングするか、送信する。このセットはすべてのサブフレームについてデフォルト（初期）のセットとして使用されうる。しかし、無線基地局１２’は、たとえば、電力オフセットなど、一つまたは複数の電力制御パラメータを含む電力制御パラメータの他のセットＳ２をさらに送信またはシグナリングしてもよく、ここでこのセットは、サブフレームのビットセットＳについてすでに設定されたセットとは異なっている。ビットセットＳは、サブフレームの番号を示すビットを含んでいる。ビットセットＳは、あるサブフレームを示しているが、このサブフレームは、送信電力を決定する際に一つまたは複数の電力制御パラメータを含む電力制御パラメータの他のセットＳ２がユーザ装置１０によって適用されるサブフレームである。ビットセットＳは一つまたは複数のサブフレームを含んでいてもよい。この設定は、無線基地局１２’から、たとえば、電力制御パラメータのセットがどのサブフレームに対して有効であるかを示すビットセットを用いて、シグナリングされてもよい。
【００４７】
アクション３０２：無線基地局１２’はリソースなどのＵＬリクエストに応答してユーザ装置１０に対してサブフレームなどの無線リソースをスケジューリングする。なお、スケジューリングは、ユーザ装置１０にどの電力制御パラメータのセットが使用されるかを考慮して実行される。したがって、アクション３０２は、図２に示したアクション２０２、２０３に対応している。一例として、電力制御パラメータのあるセットが、あるサブフレームについて使用されうる。あるサブフレームはダウンリンク送信においてセル１１の隣接セルにおいて使用されているサブフレームであってもよい。これにより、ｅＮｏｄｅＢ間干渉は、これらのあるサブフレームにおいて発生し、これらのサブフレームについては、たとえば、ユーザ装置１０に対して送信電力について制限を課さないようにすることで、性能が向上するであろうが、これはこれらのサブフレームがすでに高い干渉を受けているからである。
【００４８】
アクション３０３：無線基地局１２’は、ユーザ装置１０に対してスケジューリングしたサブフレームを示すアップリンクグラントメッセージを送信する。無線基地局１２’は、たとえば、サブフレームｘを使用することを示すアップリンクグラントメッセージを送信しうる。これは、サブフレームｘがユーザ装置１０のメモリに記憶されている予め設定された電力制御パラメータのセットを有しており、電力制御パラメータのセットが黙示的に指し示されることを意味する。無線基地局１２’は、セル１１のユーザ装置に対して動的に異なるサブフレームをスケジューリングしてもよい。
【００４９】
アクション３０４：ユーザ装置１０は、スケジューリングされたサブフレームについての送信電力を決定する際に使用する一つまたは複数の電力制御パラメータを、電力制御パラメータのセットから抽出する。すなわち、電力制御パラメータのセットは、ユーザ装置１０に記憶されているセットの一つであって、指し示されたサブフレームに関連付けられたセットである。たとえば、サブフレームがビットセットＳに含まれている場合、電力オフセットなど、電力制御パラメータの他のセットＳ２がそのサブフレームについては使用される。しかし、サブフレームの番号がビットセットＳに含まれていない場合、電力制御パラメータのデフォルトのセットＳ１が使用される。
【００５０】
アクション３０５：ユーザ装置１０は、スケジューリングされたサブフレームを使用してデータ送信を実行するときなど、送信電力を決定するときに抽出した電力制御パラメータを使用する。
【００５１】
アクション３０６：ユーザ装置１０は、決定した送信電力を適用ないしは使用することによって、無線基地局１２’に向けてデータまたはリファレンス信号を送信しうる。
【００５２】
よって、アクション３０３で実行される黙示的なインジケーションはネットワークから、たとえば、どのサブフレームについての電力制御パラメータのセットが有効であるのかを指し示すビットセットを使用して、シグナリングされうる。たとえば、電力制御パラメータの第１セットが、あるアップリンクサブフレームに使用され、電力制御パラメータの他のセットが他のサブフレームに使用され、たとえば、フレキシブルＴＤＤを実装しているＬＴＥ ＴＤＤシステムにおけるフレキシブルサブフレームに使用される。無線基地局１２’は、ユーザ装置１０からの送信をスケジューリングするためにサブフレームを選択し、当該サブフレームについてグラントをユーザ装置１０に送信することによって、どの電力制御パラメータのセットが適用されるべきかを黙示的にシグナリングまたは指し示してもよい。適用される電力制御パラメータは、たとえば、固定的に予め設定された電力オフセット、新規のパラメータのすべてセット、または、異なる累積された電力制御エンティティを含みうる。累積された電力制御エンティティは、電力制御パラメータの異なるセットについてのものと同一であってもよい。
【００５３】
一例として、１０ミリ秒の長さの無線フレームにおける１ミリ秒の長さの各サブフレームは、上位レイヤーのシグナリングによって設定された電力制御パラメータのセットを有していてもよい。とりわけ、電力制御パラメータの目標受信電力ＰO_PUSCH,C（ｊ）は、各ＵＬサブフレームについて個別に設定されるが、他の電力制御パラメータや変数についてはすべてのサブフレーム間で共通に設定されてもよい。追加として、または、代替案として、電力制御パラメータの最大（許容）送信電力ＰCMAX,c（ｉ）は各サブフレームについて個別に設定されてもよいが、これは最大許容送信電力を低下させることによって、異なるセル間またはシステム間でのＵＥ間干渉を抑制するために実行されうる。
【００５４】
本実施形態の有利な点は、アップリンク送信を可能ならしめるアップリンク送信電力制御におけるフレキシビリティを増加させつつ、高い干渉レベルにあるサブフレームのフレキシビリティを増加させ、または、隣接セルにおける干渉に対して敏感ではなくしてサブフレームの性能を向上させることである。
【００５５】
いくつかの一般的な実施形態によれば、無線通信ネットワークにおいて送信する際にユーザ装置１０によって使用される送信電力を決定する、ユーザ装置１０において実行される方法のアクションが、図４に示したフローチャートを参照しながら以下で説明される。ユーザ装置１０は無線通信ネットワークにおける無線ネットワークノード１２によって収容されて無線サービスを提供される。なお、以下の各ステップは、以下で説明する順番でもって実行されなければならないものではなく、いずれかの適切な順序が採用されればよい。いくつかの実施形態でのみ実行されるアクションは破線のボックスにより表記される。
【００５６】
アクション４０１：ユーザ装置１０は、ユーザ装置１０の設定処理の期間において無線ネットワークノード１２から電力制御パラメータの複数のセットを受信しうる。
【００５７】
アクション４０２：ユーザ装置１０は、受信した電力制御パラメータの複数のセットをユーザ装置に記憶しうる。
【００５８】
アクション４０３：ユーザ装置１０は、無線ネットワークノード１２から、電力制御パラメータの複数のセットのうちの電力制御パラメータのセットを指し示すインジケーションを受信する。電力制御パラメータの複数のセットは、上述したように、ユーザ装置１０に記憶される。電力制御パラメータの複数のセットは、一つまたは複数のサブフレームに適用される電力制御パラメータの特定のセットを含みうるものであり、インジケーションは一つまたは複数のサブフレームに含まれているサブフレームを指し示す。たとえば、インジケーションは、電力制御パラメータのデフォルトのセットとは異なる、予め設定された電力制御パラメータのセットに関連付けられたサブフレームを示していてもよい。電力制御パラメータのセットは、一つまたは複数の電力制御パラメータのセットを含みうるものであり、最大送信電力、目標受信電力、送信電力を決定する際に考慮されるパス損失を割合でもって表した値、電力オフセット値、および、電力コマンド値などが含まれてもよい。さらに、インジケーションはアップリンクグラントメッセージに搭載されてもよい。インジケーションは、さらに、たとえば、電力制御パラメータのセットのリストにおけるポインターであってもよく、送信電力を決定する際にユーザ装置１０によって適用される電力制御パラメータのセットが何であるかを、当該リスト内で指し示すものであってもよい。たとえば、インジケーションは、インデックス付きリストにおけるインデックスであってもよく、各インデックスは電力制御パラメータのセット、たとえば最大送信電力または同様のものなどを表す。
【００５９】
アクション４０４：ユーザ装置１０は、電力制御パラメータのセットであって指し示されたセットに基づいて送信電力を決定する。たとえば、ユーザ装置１０は以下の式を用いて送信電力を決定する。
【００６０】
【数５】
0006046239.tif 000006
【００６１】
ここで、
ＰPUSCH,c（ｉ）は、物理アップリンク共有チャネルにおけるｉ番目のサブフレームについての送信電力であり、
ＰCMAX,c（ｉ）は、最大送信電力であり、
ＭPUSCH,c（ｉ）は、リソースブロックの数により表現される物理アップリンク共有チャネルのリソース割り当てのバンド幅であり、
ＰO_PUSCH,c（ｊ）は、目標受信電力であり、
αｃ∈｛0,0.4,0.5,0.6,0.7,0.8,0.9,1｝であり、これは送信電力を決定する際に考慮されるパス損失を割合にて示した値でありうるもので、
ＰＬcはダウンリンクのパス損失の推定値であり、
ΔTF,c（ｉ）は、電力オフセット値であり、
ｆc（ｉ）は、電力コマンド値である。
【００６２】
いくつかの実施形態では、ユーザ装置１０は、累積的な電力コマンドを受信する。この場合、ユーザ装置１０は、直前に使用した電力コマンドに対して累積的な電力コマンドを累積することを決定する。ユーザ装置１０は、電力制御パラメータの異なるセットについては、異なる累積を適用してもよい。
【００６３】
図５は、無線通信ネットワークで送信する際にユーザ装置によって使用される送信電力を決定するユーザ装置１０のブロック図である。ユーザ装置１０は、無線通信ネットワークにおける無線ネットワークノード１２によって収容されて無線サービスを提供されるように構成されている。
【００６４】
ユーザ装置１０は、メモリ５０２を有し、メモリ５０２は電力制御パラメータの複数のセットを記憶するように構成されている。電力制御パラメータの複数のセットは、一つまたは複数のサブフレームについて適用される電力制御パラメータの特定のセットを含んでいてもよく、インジケーションは、一つまたは複数のサブフレームに含まれているサブフレームを指し示す。
【００６５】
ユーザ装置１０は、さらに、受信機５０１を有し、受信機５０１は無線ネットワークノード１２からインジケーションを受信するように構成されており、インジケーションは記憶されて電力制御パラメータの複数のセットのうちの電力制御パラメータのセットを指し示している。上述したように、電力制御パラメータのセットは、最大送信電力、目標受信電力、送信電力を決定する際に考慮されるパス損失を割合でもって表した値、電力オフセット値、および、電力コマンド値などのうち少なくとも一つを含みうる。いくつかの実施形態によれば、受信機５０１は、さらに、ユーザ装置１０の設定の期間において無線ネットワークノード１２から電力制御パラメータの複数のセットを受信するように構成されてもよい。この場合、ユーザ装置１０は、メモリ５０２に電力制御パラメータの複数のセットを格納するように構成される。
【００６６】
ユーザ装置１０は、また、決定回路５０３を有しており、決定回路５０３は指し示された電力制御パラメータのセットに基づき送信電力を決定するように構成されている。受信機５０１はインジケーションを含むアップリンクグラントメッセージを受信するように構成されていてもよい。インジケーションは、電力制御パラメータのセットについてのリストにおけるポインターであってもよく、このポインターは、当該リストにおいて決定回路５０３によって適用されるべき電力制御パラメータのセットが何であるかを指し示す。決定回路５０３は、いつくかの実施形態において、以下の式を用いて送信電力を決定するように構成されてもよい。
【００６７】
【数６】
0006046239.tif 000007
【００６８】
ここで、
ＰPUSCH,c（ｉ）は、物理アップリンク共有チャネルにおけるｉ番目のサブフレームについての送信電力であり、
ＰCMAX,c（ｉ）は、最大送信電力であり、
ＭPUSCH,c（ｉ）は、リソースブロックの数により表現される物理アップリンク共有チャネルのリソース割り当てのバンド幅であり、
ＰO_PUSCH,c（ｊ）は、目標受信電力であり、
αｃ∈｛0,0.4,0.5,0.6,0.7,0.8,0.9,1｝であり、これは送信電力を決定する際に考慮されるパス損失を割合にて示した値でありうるもので、
ＰＬcはダウンリンクのパス損失の推定値であり、
ΔTF,c（ｉ）は、電力オフセット値であり、
ｆc（ｉ）は、電力コマンド値である。
【００６９】
受信機５０１は、さらに、累積的な電力コマンドを受信するように構成されてもよい。この場合、決定回路５０３は直前に使用した電力コマンドに対してついて累積的な電力コマンドを累積するように構成されるとともに、電力制御パラメータの異なるセットに対しては異なる累積を適用するように構成されてもよい。
【００７０】
加えて、ユーザ装置１０は、適用回路５０４を有してもよく、適用回路５０４は、無線ネットワークノード１２に対して送信するために決定した送信電力を適用するように構成される。適用回路５０４は、電力増幅器（ＰＡ）５０５に接続されていてもよく、電力増幅器（ＰＡ）５０５は、送信機５０６を介して、リファレンス信号および／またはデータ送信信号などの送信信号を送信するときに送信電力を供給する。
【００７１】
本実施形態は無線通信ネットワークにおける送信についての送信電力を適用するものであり、一つまたは複数のプロセッサ、たとえば、図５に示したユーザ装置１０に備えられている処理回路５０５に実装されうるものであり、これはまた本実施形態の機能およびまたはアクションを実行するためのコンピュータプログラムコードとともに実装されてもよい。このプログラムコードは、コンピュータプログラムプロダクトとして提供されうるものであり、たとえば、ユーザ装置１０に対してロードされると本実施形態を実行するコンピュータプログラムコードを記録したデータ搬送媒体の形態として提供されもよい。このようなデータ搬送媒体はＣＤ−ＲＯＭディスクの形態で提供されうる。メモリスティックなど他のデータ搬送媒体において具現化されてもよい。コンピュータプログラムコードは、さらに、ユーザ装置１０に対してダウンロードされる、サーバ上の純粋なプログラムコードとして提供されてもよい。当業者であれば、ここで記述された様々な回路が、アナログ回路およびデジタル回路、および／または、ソフトウエアおよび／またはファームウエア（たとえばメモリに記憶されている）を用いて構成されている一つまたは複数のプロセッサを含みうるものであると理解するであろうし、一つまたは複数のプロセッサによって実行されると、上述した処理が実行されることになる。一つまたは複数のこれらのプロセッサや他のデジタルハードウエアは、単一用途特定集積回路（ＡＳＩＣ）に搭載されてもよいし、いくつかのプロセッサや様々なデジタルハードウエアがいくつかの分離したコンポーネントにわたって分散配置されてもよいし、システムオンチップ（ＳｏＣ）の中に個別にパッケージ化されてもよいし、組み込まれてもよい。
【００７２】
無線通信ネットワークにおいてユーザ装置の送信電力を制御する方法のアクションであって、無線基地局１２’として例示した無線ネットワークノード１２において実行されるアクションについて、図６に示したフローチャートを参照しながら、いくつか一般的な実施形態を説明する。無線ネットワークノード１２は、無線通信ネットワークにおいてユーザ装置１０を収容して無線サービスを提供する。各ステップの順番は以下で説明する順番で実行されなければならないものではなく、いずれかの適切な順序で実行されればよい。いくつかの実施形態でのみ実行されるアクションは破線のボックスで示されている。
【００７３】
アクション６０１：無線ネットワークノード１２はユーザ装置１０に対して電力制御パラメータの複数のセットを送信することによって当該複数のセットを用いてユーザ装置１０を設定する。
【００７４】
アクション６０２：無線ネットワークノード１２は、ユーザ装置１０の送信電力を決定するためにユーザ装置１０によって使用される電力制御パラメータのセットを決定する。電力制御パラメータのセットは、最大送信電力、目標受信電力、送信電力を決定する際に考慮されるパス損失を割合でもって表した値、電力オフセット値、および、電力コマンド値などのうち少なくとも一つを含みうる。たとえば、無線ネットワークノード１２は、ユーザ装置１０が在圏しているセル１１における干渉の状況、および／または、セル１１に隣接した隣接セルにおける干渉の状況を分析してもよい。この分析結果に基づき、無線ネットワークノード１２は電力制御パラメータのセットを決定する。干渉の状況は、あるサブフレームなどについての削減されたＳＮＲ値によって探索されてもよい。この分析結果は、ｅＮＢ−ｅＮＢ干渉（ｅＮＢ間干渉）、隣接キャリア間干渉、ＵＥ−ＵＥ干渉（ＵＥ間干渉）などを示していてもよい。
【００７５】
アクション６０３：無線ネットワークノード１２は無線ネットワークノード１２が備えるメモリから、決定した電力制御パラメータを指し示すインジケーションを抽出してもよい。
【００７６】
アクション６０４：無線ネットワークノード１２は、ユーザ装置１０に対してインジケーションを送信する。上述したように、インジケーションは、ユーザ装置１０に記憶されている電力制御パラメータの複数のセットのうちの電力制御パラメータのセットを指し示している。無線ネットワークノード１２は、これにより、ユーザ装置１０の送信電力を制御する。電力制御パラメータの複数のセットは、たとえば、ユーザ装置１０と同様に、無線ネットワークノード１２においてインデックス付きリストの中に記憶されていてもよく、この場合、インジケーションは当該リストのインデックスを示す。いつくかの実施形態では、電力制御パラメータの複数のセットは、一つまたは複数のサブフレームに適用される電力制御パラメータの特定のセットを含み、インジケーションは当該一つまたは複数のサブフレームに含まれているサブフレームを指し示す。たとえば、異なるサブフレーム間ではユーザ装置１０において電力制御パラメータが異なるように設定されうる。無線ネットワークノード１２は、この異なる複数のサブフレームについて電力制御パラメータを把握しており、これは無線ネットワークノード１２によって設定されたものであるため、無線ネットワークノード１２は、ユーザ装置１０に対して送信電力についてはたとえば何の制限もなく、サブフレームをスケジューリングする。ユーザ装置１０は、当該サブフレームについて設定された電力制御パラメータに基づいて送信電力を決定する。
【００７７】
いくつかの実施形態では、無線ネットワークノード１２は、セル１１においてユーザ装置１０を収容して無線サービスを提供し、これはサービング（在圏）セルと呼ばれ、上述した一つまたは複数のサブフレームは、セル１１またはセル１１の隣接セルにおいてダウンリンク送信で使用されている一つまたは複数のサブフレームである。これらのサブフレームは、ｅＮｏｄｅＢ間干渉に晒されることがあるとともに、ＵＥ間干渉にも晒されることもあり、これは電力制御パラメータのセットを決定する際に考慮される。さらに、インジケーションは、グラントされたサブフレームについて送信されてもよい。グラントされたサブフレームは隣接チャネル干渉を被る。これは、たとえば、送信データの関連性に基づき、ユーザ装置１０が送信電力の制限なして送信すべきか、または、電力制限つきで送信すべきことを示す。
【００７８】
インジケーションは、アップリンクグラントメッセージに搭載されてもよい。この場合、インジケーションは、電力制御パラメータのセットのリストにおけるポインターとなりうる。ポインターは、リスト内で、送信電力を決定する際にユーザ装置１０によって適用される電力制御パラメータのセットが何であるかを示し、これはたとえば、上述したインデックスに相当する。
【００７９】
図７は、いつくかの実施形態にしたがって無線ネットワークにおいてユーザ装置１０の送信電力を制御する無線ネットワークノードのブロック図である。無線ネットワークノード１２は無線通信ネットワークにおいてユーザ装置１０を収容して無線サービスを提供するように構成されている。
【００８０】
無線ネットワークノード１２は、決定回路７０１を有し、決定回路７０１は、ユーザ装置１０の送信電力を決定する際にユーザ装置１０によって使用されることになる電力制御パラメータのセットを決定するように構成される。決定回路７０１は、ユーザ装置１０が在圏しているセル１１における干渉の状況、および／または、セル１１に隣接した隣接セルにおける干渉の状況を分析するように構成されてもよい。セル１１に隣接した隣接セルは、無線ネットワークノード１２によって無線サービスが提供されてもよいし、隣接ネットワークノード１２０によって無線サービスが提供されてもよい。
【００８１】
無線ネットワークノード１２は、送信機７０２を有し、送信機７０２は、ユーザ装置１０に対してインジケーションを送信するように構成される。インジケーションは、ユーザ装置１０に記憶されている電力制御パラメータの複数のセットのうちの電力制御パラメータのセットを指し示している。これにより、ユーザ装置１０の送信電力は無線ネットワークノード１２によって制御される。電力制御パラメータの複数のセットは、一つまたは複数のサブフレームに適用される電力制御パラメータの特定のセットを含みうる。インジケーションは当該一つまたは複数のサブフレームに含まれているサブフレームを指し示してもよい。いくつかの実施形態において、送信機７０２は、インジケーションを含むアップリンクグラントメッセージを送信するように構成される。インジケーションは、電力制御パラメータのセットのリストにおけるポインターとなりうるもので、ポインターは、リスト内で、送信電力を決定する際にユーザ装置１０によって適用される電力制御パラメータのセットが何であるかを示す。インジケーションは、グラントされたサブフレームについて送信されてもよく、グラントされたサブフレームは隣接チャネル干渉を被るものである。これは、決定回路７０１において決定される。
【００８２】
さらに、無線ネットワークノード１２は、設定回路７０３を有してもよく、設定回路７０３は、送信機７０２を介してユーザ装置１０に対して電力制御パラメータの複数のセットを送信したり、ユーザ装置からのデータ信号などの、干渉、送信電力などを示すデータを受信機７０４を介して受信したりすることによって、電力制御パラメータの複数のセットを用いてユーザ装置１０を設定するように適合している。無線ネットワークノード１２は、セル１１におけるユーザ装置１０を収容して無線サービスを提供するように構成されている。一つまたは複数のサブフレームは、セル１１またはセル１１の隣接セルにおいてダウンリンク送信に使用されている一つまたは複数のサブフレームである。いくつかの実施形態において、電力制御パラメータのセットは、最大送信電力、目標受信電力、送信電力を決定する際に考慮されるパス損失を割合でもって表した値、電力オフセット値、および、電力コマンド値などのうち少なくとも一つを含みうる。
【００８３】
無線ネットワークノードは、さらに、抽出回路７０５を有してもよく、抽出回路７０５は、インジケーションを抽出するように構成されており、たとえば、メモリ７０６からインジケーションを抽出する。インジケーションは、無線ネットワークノード１２においてメモリ７０６から決定された電力制御パラメータのセットを指し示す。
【００８４】
本実施形態は無線通信ネットワークにおけるユーザ装置１０の送信電力を制御するものであり、一つまたは複数のプロセッサ、たとえば、図７に示した無線ネットワークノード１２に備えられている処理回路７０７に実装されうるものであり、これはまた本実施形態の機能および／またはアクションを実行するためのコンピュータプログラムコードとともに実装されてもよい。このプログラムコードは、コンピュータプログラムプロダクトとして提供されうるものであり、たとえば、無線ネットワークノード１２に対してロードされると本実施形態を実行するコンピュータプログラムコードを記録したデータ搬送媒体の形態として提供されもよい。このようなデータ搬送媒体はＣＤ−ＲＯＭディスクの形態で提供されうる。メモリスティックなど他のデータ搬送媒体において具現化されてもよい。コンピュータプログラムコードは、さらに、無線ネットワークノード１２に対してダウンロードされる、サーバ上の純粋なプログラムコードとして提供されてもよい。当業者であれば、ここで記述された様々な回路が、アナログ回路およびデジタル回路、および／または、ソフトウエアおよび／またはファームウエア（たとえばメモリに記憶されている）を用いて構成されている一つまたは複数のプロセッサを含みうるものであると理解するであろうし、一つまたは複数のプロセッサによって実行されると、上述した処理が実行されることになる。一つまたは複数のこれらのプロセッサや他のデジタルハードウエアは、単一用途特定集積回路（ＡＳＩＣ）に搭載されてもよいし、いくつかのプロセッサや様々なデジタルハードウエアがいくつかの分離したコンポーネントにわたって分散配置されてもよいし、システムオンチップ（ＳｏＣ）の中に個別にパッケージ化されてもよいし、組み込まれてもよい。
【００８５】
上述した実施形態はどのように組み合わされてもよい。本実施形態はアップリンクデータチャネルについて記述されているが、電力制御を使用する他のアップリンク送信にも適用可能であり、たとえば、物理アップリンク制御チャネル（ＰＵＣＣＨ）およびアップリンクサウンディングリファレンス信号などにも適用可能である。図面や明細書においては例示的な実施形態が記述されている。しかし、様々な変更や修正がこれらの実施形態に対して適用可能である。また、特定の用語が用いられてきたが、これらは限定目的で使用されてはおらず、一般的で記述的な感覚でのみ使用されており、実施形態の範囲は添付の特許請求の範囲によって確定される。
【図１】
0006046239.tif 000010
【図２】
0006046239.tif 000011
【図３】
0006046239.tif 000012
【図４】
0006046239.tif 000013
【図５】
0006046239.tif 000014
【図６】
0006046239.tif 000015
【図７】
0006046239.tif 000016